(57)【要約】【課題】ダイヤルの外形寸法を大きくすることなく、ロック機構を設けることが困難であった。【解決手段】回転軸の方向に突出する突部を有し、回転軸周りの回転が規制されているロック部材と、突部を収容する収容孔を有し、回転軸周りに回転する回転ダイヤルと、突部が収容孔から離脱するようにロック部材を回転軸の方向へ移動させる作動部材と、を備える回転ダイヤルユニットが提供される。作動部材は、前記回転ダイヤルの中心部に配置されていてもよい。【選択図】図４
2018185540.tif 000002
【特許請求の範囲】
【請求項１】
回転軸の方向に突出する突部を有し、前記回転軸周りの回転が規制されているロック部材と、
前記突部を収容する収容孔を有し、前記回転軸周りに回転する回転ダイヤルと、
前記突部が前記収容孔から離脱するように前記ロック部材を前記回転軸の方向へ移動させる作動部材と、
を備える回転ダイヤルユニット。
【請求項２】
前記作動部材は、前記回転ダイヤルの中心部に配置されている請求項１に記載の回転ダイヤルユニット。
【発明の詳細な説明】
【技術分野】
【０００１】
本発明は、回転ダイヤルユニットに関する。
【背景技術】
【０００２】
上段ダイヤルの回転をロックするロックレバーを備えた２段式ダイヤルスイッチが知られている（例えば、特許文献１参照）。
［先行技術文献］
［特許文献］
［特許文献１］  特開平９−４３７０５号公報
【発明の概要】
【発明が解決しようとする課題】
【０００３】
ダイヤルのポジション数を増やす場合には、ポジション数の増加に伴い、ポジションを検知するためのパターン回路基板における配線パターンの面積が増加する。相対的にロック機構との固定のために利用できるスペースが減少するので、ダイヤルの外形寸法を大きくすることなく、ロック機構を設けることが困難であった。
【課題を解決するための手段】
【０００４】
本発明の一態様において、回転軸の方向に突出する突部を有し、回転軸周りの回転が規制されているロック部材と、突部を収容する収容孔を有し、回転軸周りに回転する回転ダイヤルと、突部が収容孔から離脱するようにロック部材を回転軸の方向へ移動させる作動部材と、を備える回転ダイヤルユニットが提供される。
【０００５】
なお、上記の発明の概要は、本発明の特徴の全てを列挙したものではない。また、これらの特徴群のサブコンビネーションもまた、発明となりうる。
【図面の簡単な説明】
【０００６】
【図１】本実施形態に係る回転ダイヤルユニットを備えるカメラの上面を模式的に示す図である。
【図２】回転ダイヤルユニットの分解斜視図である。
【図３】回転ダイヤルユニットの分解斜視図である。
【図４】図１における回転ダイヤルユニットのＡ−Ａ断面図である。
【図５】図１における回転ダイヤルユニットのＢ−Ｂ断面図である。
【図６】回転軸、ロック爪、および固定軸の位置関係を説明する図である。
【図７】上ダイヤルのクリック感を付与する他の構成を説明する図である。
【図８】回転ダイヤルユニットの他の構成を説明する図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、本実施形態に係る回転ダイヤルユニットを備えるカメラの上面を模式的に示す図である。カメラ１０は、カメラユニット１２にレンズユニット１４が装着されて構成される。なお、後述する操作部材３０等が外観に現れる紙面手前側を上面側あるいは上側とし、図とは反対側を下面側あるいは下側と定める。
【０００９】
カメラ１０は、レンズユニット１４の光学系を通じて入射した被写体光により形成された像を電気信号に変換して記録する。カメラユニット１２は、回転ダイヤルユニット２０を備える。カメラユニット１２の外装部材の上面には、後述する上ダイヤルの一部を構成する操作部材３０と、後述する下ダイヤルの一部を構成する、操作部材３０よりも幅広の回転操作部材４０とが同軸上に重なって配されている。上ダイヤルは、例えばシャッタ速度の設定に用いられる。下ダイヤルは、例えばＩＳＯ感度の設定に用いられる。なお、操作部材３０の幅と回転操作部材４０の幅は同一でもよい。
【００１０】
操作部材３０および回転操作部材４０の中心部には、挿通孔が軸方向に形成されている。操作部材３０と回転操作部材４０の間には、後述する作動部材６０が配されている。作動部材６０の一部は、挿通孔から外装部材の上側に突出している。詳しくは後述するが、作動部材６０は、上ダイヤルの回転のロックを解除するロック解除ボタンとして機能する。また、カメラユニット１２の外装部材の上面には、操作部材３０および回転操作部材４０から離れた位置に、押圧操作部材１９０が配されている。詳しくは後述するが、押圧操作部材１９０は、下ダイヤルの回転のロックを解除するロック解除ボタンとして機能する。以上の、上ダイヤル、下ダイヤル、作動部材６０、および押圧操作部材１９０は、回転ダイヤルユニット２０の一部を構成する。
【００１１】
図２および図３は、回転ダイヤルユニット２０の分解斜視図である。特に、図２は俯瞰図であり、図３は仰視図である。図示するように、回転ダイヤルユニット２０は、操作部材３０、ロック板５０、キャップ５８、作動部材６０、ロック爪７０、ロック爪固定部材１００、付勢部材８０、軸部材９０、ビス１１０を含む。さらに、回転操作部材４０、封止部材１２０、外装部材１３０、カラー部材１４０、回転摺動部材１５０、クリック部材１６０、接点ブラシ１７０、支持部材１８０、押圧操作部材１９０、封止部材２００、パターン回路基板２１０、接点ブラシ２２０、抜止板２３０、クリック板２４０、平行ピン２５０、ロック部材２６０、付勢部材２７０、クリック部材２８０、支持部材２９０を含む。
【００１２】
操作部材３０は、使用者により回転操作される。操作部材３０は、全体として円柱状を成し、中心部に挿通孔３２を有する。また、下面に凹部３４を有する。ロック板５０、作動部材６０、ロック爪７０、および付勢部材８０は、操作部材３０と軸部材９０の間に配される。
【００１３】
ロック板５０は、全体として円柱状をなし、上面の中心部に凹部５２を有する。凹部５２は、中心部に操作部材３０の挿通孔３２に対応した挿通孔５４を有する。ロック板５０は、下面にロック爪７０の突部７２を収容する収容孔５６を円周方向に複数有する。ロック板５０は、操作部材３０の凹部３４内に収容される。なお、ロック板５０は、必ずしも収容孔５６を複数有していなくてもよい。すなわち、収容孔５６を一つだけ有してもよい。操作部材３０のポジションのうちロックさせたいポジションに対応して有していればよい。
【００１４】
作動部材６０は、後述の回転軸と直交する方向へ延出する円板部６２と、円板部６２の中心部から上側に突出する突出部６５と、突出部６５とは反対側すなわち下側に突出し、回転軸９４の軸方向へ摺動する摺動部６６とを有する。作動部材６０の円板部６２は、下面に凹部６８を有する。突出部６５は、上部６３と、上部６３よりも一回り幅広の下部６４とからなる二段構造である。上部６３には、キャップ５８が被せられる。
【００１５】
ロック爪７０は、回転軸方向に突出する突部７２と、回転軸方向に直交する方向に突出する一対の爪部７４とを有する。
【００１６】
ロック爪固定部材１００は、全体として円柱状をなし、上面の中心部に凹部１０２を有する。凹部１０２は、中心部に挿通孔を有する。ロック爪固定部材１００は、外周壁にロック爪７０の形状に対応した切欠部１０６を有する。ロック爪固定部材１００は、上端に円板部を環囲するリング部１０８を有する。リング部１０８は、ロック板５０と略同一径に形成される。
【００１７】
付勢部材８０は、作動部材６０と軸部材９０との間に設置される。付勢部材８０は、例えば圧縮コイルばねである。
【００１８】
軸部材９０は、作動部材６０の円板部６２よりも幅狭の円板部９２と、操作部材３０側とは反対方向すなわち下側に突出する回転軸９４とを有する。軸部材９０は、円板部９２上面の中心部から回転軸９４の中程にかけて形成された摺動孔９６を有する。回転軸９４の下端には、軸方向に直交する方向へ貫通する貫通孔９８が形成されている。詳しくは後述するが、軸部材９０は、操作部材３０に組み付けられて、操作部材３０と共に上ダイヤル２２を構成する。軸部材９０は、ビス１１０により操作部材３０に組み付けられる。
【００１９】
回転操作部材４０は、使用者により回転操作される。回転操作部材４０は、操作部材３０よりも幅広な円柱状をなす。回転操作部材４０は、上面の回転軸周り、すなわち中心部に凹部４２を有する。凹部４２は、中心部にロック爪固定部材１００の挿通孔１０４に対応した挿通孔４４を有する。回転操作部材４０は、下面の外縁部に円周溝４６を有する。また、下面の挿通孔に沿った周方向に段差部４８を有する。
【００２０】
封止部材１２０は、回転操作部材４０の段差部４８に配される。本実施形態においては、封止部材１２０は、Ｏリングである。
【００２１】
外装部材１３０は、カメラユニット１２の外観を構成するカバー部材である。外装部材１３０は、開口部１３２を有する。
【００２２】
カラー部材１４０は、全体として円環状を成す。カラー部材１４０は、円環状の基板部１４２と、基板部１４２の上面に形成された円環状の壁部１４４を有する。壁部の内壁には、周方向に複数の段差部１４６が形成されている。
【００２３】
回転摺動部材１５０は、円板部１５２と、クリック部材１６０を収容するクリック部材収容部１５４とを有する。円板部１５２は、回転操作部材４０の挿通孔４４に対応する第１孔１５６を有する。円板部１５２は、外縁に沿って周方向に形成された複数の収容孔１５８を有する。クリック部材収容部１５４は、円板部１５２の上面に形成される。一方で、円板部１５２の下面には、接点ブラシ１７０を収容する収容部１５９が形成されている。回転摺動部材１５０は、例えばビスにより回転操作部材４０に組み付けられて、回転操作部材４０と共に下ダイヤル２４を構成する。なお、円板部１５２は、必ずしも収容孔１５６を複数有していなくてもよい。すなわち、収容孔１５６を一つだけ有してもよい。回転操作部材４０のポジションのうちロックさせたいポジションに対応して有していればよい。
【００２４】
支持部材１８０は、基板部１８１と、基板部１８１の中心部から上側に突出して形成された円柱状の軸受１８２と、段差部１８３とを有する。基板部１８１は、第１孔１８４を有する。段差部１８３は、押圧操作部材１９０および封止部材２００を取り付けるための第２孔１８５を有する。
【００２５】
パターン回路基板２１０は、本実施形態においてはフレキシブル基板である。パターン回路基板２１０は、折り曲げられることにより二段になっている。上段２１２および下段２１４は、中心部に貫通孔２１５を有する。上段２１２の上面には、貫通孔２１５を取り囲むように、回路パターン２１３が形成されている。下段２１４の下面には、貫通孔２１５を取り囲むように、回路パターン２１６が形成されている。なお、パターン回路基板２１０として、メンブレンＳＷを用いてもよい。
【００２６】
抜止板２３０は、全体として円板状を成す。抜止板２３０は、軸方向に直交する方向へ貫通する貫通孔２３２を中心部に有する。抜止板２３０の上面には、接点ブラシ２２０を収容する収容部２３４が形成されている。一方で、抜止板２３０の下面には、平行ピン２５０を配置するための溝部２３６が径方向に形成されている。
【００２７】
クリック板２４０は、抜止板２３０の形状に対応しており、全体として円板状を成す。クリック板２４０は、外縁に沿って周方向に形成された複数の段差部２４２を有する。
【００２８】
ロック部材２６０は、軸方向に細長い棒状のロック爪２６２と、基材部２６４と、摺動部としての上側突出部２６６と、下側突出部２６８とを有する。ロック爪２６２の下端は、基材部２６４の一端に固定される。基材部２６４の他端には、上側突出部２６６と下側突出部２６８とが固定されている。なお、上側突出部２６６と下側突出部２６８は、一体的に形成されてもよい。
【００２９】
付勢部材２７０は、ロック部材２６０と支持部材２９０との間に設置される。付勢部材２７０は、例えば圧縮コイルばねである。
【００３０】
支持部材２９０は、クリック部材２８０を収容するクリック部材収容部２９２と、付勢部材を支持する付勢部材支持部２９４とを有する。
【００３１】
図４は、図１における回転ダイヤルユニット２０のＡ−Ａ断面図である。特に、上ダイヤル２２がロックされている状態を示す。
【００３２】
ロック板５０は、操作部材３０の凹部３４内に配置され固定される。作動部材６０は、ロック板５０の下側に配置される。作動部材６０の突出部６５は、ロック板５０の挿通孔５４および操作部材３０の挿通孔３２に挿通される。突出部６５の先端は、挿通孔３２から突出している。挿通孔３２から突出している部分は、使用者により押圧される押圧部を構成する。突出部６５は、下面に周方向に形成された溝部を有する。
【００３３】
軸部材９０は、作動部材６０の下側に配置されている。軸部材９０の一部は、作動部材６０の凹部６８内に収容される。作動部材６０の摺動部６６は、突出部６５の先端の裏面から下側に延びた円柱状を成す。摺動部６６は、軸部材９０の摺動孔９６に摺動嵌合する。これにより、作動部材６０は上下方向に摺動できる。付勢部材８０は、摺動部６６に通された状態で配置されている。付勢部材８０の一端は、突出部６５の裏面に接し、他端は軸部材９０の円板部９２の上面に接する。付勢部材８０は、作動部材６０を操作部材３０側へ付勢する。
【００３４】
軸部材９０は、作動部材６０、ロック板５０および操作部材３０と共にビス１１０により一体化されて固定される。したがって、上ダイヤル２２のロックが解除された状態においては、操作部材３０が回転操作されると、ビス１１０で固定された全体が一体となって回転する。
【００３５】
ロック爪７０は、作動部材６０の側部に配置される。ロック爪７０の爪部７４が円板部６２の外周部を挟持することにより、ロック爪７０は円板部６２の外周部に装着される。
【００３６】
ロック爪固定部材１００は、ロック爪７０が切欠部１０６に収まるように位置決めされて、ロック板５０の下側に配置される。ロック爪固定部材１００の凹部１０２内には、作動部材６０および軸部材９０が収容される。すなわち、凹部１０２の内壁が作動部材６０および軸部材９０を環囲する。
【００３７】
図示するように、作動部材６０が押圧されていない状態においては、作動部材６０が付勢部材８０により上側に付勢されるので、作動部材６０に装着されたロック爪７０も付随的に上側に付勢される。その結果、ロック爪７０の突部７２は、収容孔５６に収容される。したがって、上ダイヤル２２の回転は許容されない。
【００３８】
付勢部材８０の付勢力に抗して作動部材６０が押圧されると、作動部材６０は下側に摺動する。ロック爪７０は作動部材６０に装着されているので、作動部材６０に付随して切欠部１０６を下側に摺動する。すなわち、ロック爪７０の突部７２が収容孔５６から離れていく。そうして、ロック爪７０の突部７２が収容孔５６から離脱すると、上ダイヤル２２の回転操作が許容される。すなわち、上ダイヤル２２のロックが解除される。
【００３９】
ここで、操作部材３０、ロック板５０、および作動部材６０は、一体化されている。したがって、作動部材６０とロック爪７０とが単に一体化されているだけでは、上ダイヤル２２の回転に伴い、ロック爪７０も一緒に回転してしまう。本実施形態においては、ロック爪７０がロック爪固定部材１００の切欠部１０６に収まることにより、ロック爪７０の回転方向の動きが規制される。したがって、作動部材６０が押圧されると、ロック爪７０は作動部材６０と共に下がるものの、その状態で操作部材３０が回転操作されたとしても、回転方向に付随して動くことはない。すなわち、ロック爪７０は、円板部の回転に対して相対的に摺動する。
【００４０】
シャッタ速度を設定する上ダイヤル２２は、一般的なモードダイヤルに比べて多ポジションであるので、パターン回路基板２１０における回路パターン２１３の占める面積が増大する。そうすると、スペースの都合上、例えばビスを用いてパターン回路基板２１０とロック機構とを取り付けることは困難になる。本実施形態においては、ロック爪７０の爪部７４を円板部６２の外周部に引っ掛けるとともに、このロック爪７０を切欠部１０６に収めることにより、わずかなスペースで上ダイヤル２２をロックするロック機構を実現している。
【００４１】
支持部材１８０は、ロック爪固定部材１００の下側に配置される。軸部材９０の回転軸９４は、支持部材１８０の軸受１８２に嵌合する。支持部材１８０の軸受１８２は、ロック爪固定部材１００の挿通孔１０４に嵌合する。これにより、ロック爪固定部材１００は支持部材１８０に固定される。
【００４２】
回転操作部材４０は、挿通孔４４に軸受１８２が挿通された状態でロック爪固定部材１００の下側に配置される。回転操作部材４０の凹部４２は、ロック爪固定部材１００の一部を収容する。これにより、回転ダイヤルユニット２０の高さを抑制することができる。なお、回転操作部材４０は、軸受１８２に対して組み付けられているだけであり、支持部材１８０に対して摺動嵌合しているわけではない。
【００４３】
封止部材１２０は、回転操作部材４０と、支持部材１８０の軸受１８２との間に設けられる。これにより、回転操作部材４０よりも支持部材１８０側の空間を封止する。
【００４４】
回転摺動部材１５０は、第１孔１５６に軸受が挿通された状態で回転操作部材４０の下側に配置される。回転摺動部材１５０は、例えばビスにより回転操作部材４０に組み付けられて、回転操作部材４０と共に下ダイヤル２４を構成する。回転摺動部材１５０は、回転操作部材４０と共に例えばビスにより一体化されて固定される。したがって、回転操作部材４０が回転操作されると、回転摺動部材１５０は、回転操作部材４０の回転に付随して回転する。回転摺動部材１５０は、支持部材１８０に対して外側で摺動嵌合する。
【００４５】
抜止板２３０は、支持部材１８０の下側に配置される。ここで、軸部材９０は、軸受１８２を貫通して下側に突出する突出部９７を有する。突出部９７は、抜止板２３０の貫通孔２３２に嵌合する。突出部９７は、軸方向に直交する方向へ貫通する貫通孔９８を有する。平行ピン２５０は、抜止板２３０の溝部２３６に沿って配置されると共に、貫通孔９８を貫通する。すなわち、抜止板２３０は、平行ピン２５０を支持している。これにより、抜止板２３０は、突出部９７を固定する。よって、回転軸９４が操作部材３０側へ抜けることを防ぐことができる。以上のように、平行ピン２５０を用いることにより、ビスを用いる場合に比べて、少ないスペースで突出部９７を固定することができる。
【００４６】
パターン回路基板２１０は、接着等により支持部材１８０に固定され支持されている。接点ブラシ１７０は、回転摺動部材１５０の下面、すなわち支持部材１８０の上面と対向する面に設けられる。パターン回路基板２１０の上段２１２は、支持部材１８０の上面に配置される。接点ブラシ１７０とパターン回路基板２１０の上段２１２とは、互いに対向して配置されている。パターン回路基板２１０の上段２１２は、接点ブラシ１７０が摺動することにより、回転操作部材４０の回転位置に対応する信号を出力する。
【００４７】
接点ブラシ２２０は、抜止板２３０の上面、すなわち支持部材１８０の下面と対向する面に設けられる。パターン回路基板２１０の下段２１４は、支持部材１８０の下面に配置される。接点ブラシ２２０とパターン回路基板２１０の下段２１４とは、互いに対向して配置されている。パターン回路基板２１０の下段２１４は、接点ブラシ２２０が摺動することにより、操作部材３０の回転位置に対応する信号を出力する。
【００４８】
外装部材１３０は、支持部材１８０、回転摺動部材１５０、およびカラー部材１４０を環囲するように配置される。支持部材１８０、回転摺動部材１５０、およびカラー部材１４０等は、外装部材１３０の内部に収容される。カラー部材１４０は、外装部材１３０の開口部１３２の内壁に沿って配置される。外装部材１３０の開口端は、カラー部材１４０の一端である第１壁１４７と共に、回転操作部材４０の円周溝４６に嵌合する。また、カラー部材１４０は、外装部材１３０に固定される固定部１４８と、回転摺動部材１５０を環囲する第２壁１４９とを有する。回転操作部材４０とカラー部材１４０は、互いに入れ子状に形成されている。これにより、防滴、防水等の効果を高めることができる。
【００４９】
図５は、図１における回転ダイヤルユニット２０のＢ−Ｂ断面図である。特に、下ダイヤル２４がロックされている状態を示す。図４においては、主に、下ダイヤル２４のロック機構およびクリック感を付与する機構について説明する。
【００５０】
下ダイヤル２４がロックされている状態においては、複数の収容孔１５８のいずれかが、回転位相において第１孔１８４と一致する。ロック部材２６０は、支持部材１８０の下側に配置される。ロック爪２６２は、支持部材１８０の下側に軸方向に沿って配置される。ロック爪２６２の上端は、第１孔１８４を貫通して収容孔１５８まで到達している。上側突出部２６６は受容孔２６７を有し、上側突出部２６６の一部は第２孔１８５から上側に突出している。すなわち、受容孔２６７は、第２孔１８５に一致する位置に形成される。上側突出部２６６は、第２孔１８５に摺動嵌合する。
【００５１】
押圧操作部材１９０は、固定軸１９２と、押圧部１９４とを有する。固定軸１９２は、受容孔２６７に挿入されて固定される。押圧部１９４は、固定軸１９２の上端側に配置される。ここで、外装部材１３０は、挿通孔１３４と、挿通孔１３４を環囲する環囲壁１３６とを有する。押圧部１９４は、挿通孔１３４を挿通し、外装部材１３０から上側に突出している。
【００５２】
封止部材２００は、押圧操作部材１９０と支持部材１８０の間に配置される。封止部材２００は嵌合孔２０２を有する。嵌合孔２０２は、固定軸１９２に嵌合する。また、封止部材２００は、環囲壁１３６により支持部材１８０側へ与圧される。さらに、封止部材２００は、第２孔１８５から突出する上側突出部２６６を包囲する袋状部２０４を有する。上述のように、上側突出部２６６の一部が第２孔１８５から上側に突出しているので、封止部材２００も、突出に沿った形状になっている。すなわち、上側に盛り上がった形状になっている。以上により、封止部材２００は、支持部材１８０側の空間を封止する。
【００５３】
本実施形態においては、下ダイヤル２４における押圧操作機構とロック機構を互いに異なる部材、すなわち押圧操作部材１９０とロック部材２６０により実現している。そして、支持部材１８０に二つの孔を形成し、一方の孔である第２孔１８５に固定軸１９２を挿入する構成としている。封止部材２００は、固定軸１９２と受容孔２６７との嵌合部分に配置される。押圧操作部材１９０とロック部材２６０の全体を覆わなくてもよいので、防滴、防水等を実現しつつ、小型化することができる。
【００５４】
付勢部材２７０は、下側突出部２６８に挿通されて配置されている。付勢部材２７０は、ロック部材２６０を支持部材１８０側へ付勢する。
【００５５】
図示するように、押圧部１９４が押圧されていない状態においては、ロック部材２６０が付勢部材２７０により上側に付勢されるので、ロック爪２６２も上側に付勢される。その結果、ロック爪２６２は、第１孔１８４を貫通して収容孔１５８まで到達して収容孔１５８に収容される。したがって、下ダイヤル２４の回転は許容されない。
【００５６】
付勢部材２７０の付勢力に抗して押圧部１９４が押圧されると、押圧操作部材１９０は下側に摺動する。押圧操作部材１９０とロック部材２６０とは一体的に構成されているので、ロック部材２６０は押圧操作部材１９０に付随して下側に摺動する。すなわち、ロック爪２６２が収容孔１５８から離れていく。そうして、ロック爪２６２が収容孔１５８から退避されると、下ダイヤル２４の回転操作が許容される。すなわち、下ダイヤル２４のロックが解除される。以上のように、押圧操作部材１９０は、付勢部材２７０の付勢力に抗して押圧部１９４が押圧されたときに、収容孔１５８からロック爪２６２を退避させる。
【００５７】
クリック板２４０は、抜止板２３０の下側に配置される。クリック部材収容部２９２は、クリック板２４０の下側に配置される。クリック部材収容部２９２は、ロック部材２６０に隣接した位置に配置される。下ダイヤル２４がロックされている状態においては、クリック板２４０の複数の段差部２４２のいずれかが、クリック部材収容部２９２と一致している。クリック部材収容部２９２は、クリック部材２８０を収容する。クリック部材収容部２９２には、下側に圧縮コイルばね等の付勢部材２８２が収容される。付勢部材２８２の上に鋼球２８４が収容される。付勢部材２８２は、鋼球２８４をクリック板２４０に付勢する。
【００５８】
鋼球２８４は、静定状態においては特定の段差部２４２に付勢される。使用者が上ダイヤル２２を回転させると、鋼球２８４は、一旦クリック板２４０の表面に乗り上げて付勢部材２８２を圧縮し、他の段差部２４２へ転移する。このとき、付勢部材２８２の抵抗力により、使用者はクリック感を得ることができる。
【００５９】
カラー部材１４０の第２壁１４９は、上ダイヤル２２の径方向に段差部１４６を有する。段差部１４６は、回転操作部材４０の静止予定位置に対応して設けられる。また、クリック部材１６０は、回転摺動部材１５０のクリック部材収容部１５４に収容されている。クリック部材収容部１５４の内側に、例えば圧縮コイルばね等の付勢部材１６２が収容され、付勢部材１６２の外側に鋼球１６４が収容される。すなわち、上ダイヤル２２の径方向に内側から付勢部材１６２、鋼球１６４の順に並んで配置されている。したがって、付勢部材１６２は、鋼球１６４を第２壁１４９の段差部１４６に付勢する。
【００６０】
鋼球１６４は、静定状態においては特定の段差部１４６に付勢される。使用者が下ダイヤル２４を回転させると、鋼球１６４は、一旦第２壁１４９の表面に乗り上げて付勢部材１６２を圧縮し、他の段差部１４６へ転移する。このとき、付勢部材１６２の抵抗力により、使用者はクリック感を得ることができる。
【００６１】
以上のように本実施形態においては、上ダイヤル２２のロック強度は付勢部材８０により定まり、クリック力は付勢部材２８２により定まる。ロック強度とクリック力とを互いに異なる部材により定めているので、それぞれを容易に調整することができる。
【００６２】
図６は、回転軸９４、ロック爪２６２、および固定軸１９２の位置関係を説明する図である。図６においては、支持部材２９０、クリック板２４０、および抜止板２３０を抽出して図示している。図６は、これらを下から見上げた様子を示す底面図により表される。
【００６３】
回転軸９４、ロック爪２６２、および固定軸１９２は、上ダイヤル２２の回転軸９４に直交する平面において、同一直線上に配置される。これにより、回転摺動部材１５０の収容孔１５８の周方向の寸法をロック爪２６２の径に合わせるだけで、容易に周方向のずれを抑制することができる。回転摺動部材１５０の収容孔１５８は、回転軸９４、ロック爪２６２、および固定軸１９２の径方向の位置ずれを許容すべく、径方向に長い長孔である。短手方向の径は、ロック爪２６２の径に一致する。このような収容孔１５８は、上ダイヤル２２の周方向においてロック爪２６２と嵌合し、径方向において嵌合しない。
【００６４】
以上の説明では、上ダイヤル２２の回転操作に対するクリック感を付与するクリック部材１６０を抜止板２３０の下側に配置したが、操作部材３０の内部に配置してもよい。この場合にも、同様の効果を得ることができる。
【００６５】
図７は、上ダイヤル２２のクリック感を付与する他の構成を説明する図である。操作部材３０は、凹部３４内にクリック部材３００を収容する。凹部３４の上側に付勢部材３０２が配置され、付勢部材３０２の下側に鋼球３０４が配置される。リング部１０８は、上面に複数の段差部１０９を有する。複数の段差部１０９は、複数の収容孔５６に一対一に対応する形態で形成される。付勢部材３０２は、鋼球３０４を段差部１０９に付勢する。
【００６６】
鋼球３０４は、静定状態においては特定の段差部１０９に付勢される。使用者が上ダイヤル２２を回転させると、鋼球３０４は、一旦リング部１０８の表面に乗り上げて付勢部材３０２を圧縮し、他の段差部１０９へ転移する。このとき、付勢部材３０２の抵抗力により、使用者はクリック感を得ることができる。
【００６７】
図８は、回転ダイヤルユニット２０の他の構成を説明する図である。特に、上ダイヤル２２がロックされている状態を示す。
【００６８】
図８に示す例においては、回転ダイヤルユニット２０は、補助ロック爪３１０を有する。補助ロック爪３１０は、ロック爪７０と同様に、回転軸方向に突出する突部３１２と、回転軸方向に直交する方向に突出する一対の爪部３１４とを有する。補助ロック爪３１０は、作動部材６０における、ロック爪７０が配置された側部とは反対側の側部に配置される。補助ロック爪３１０も、ロック爪７０と同様に、爪部３１４が円板部６２の外周部を挟持することにより、円板部６２の外周部に装着される。ロック爪固定部材１００は、切欠部１０６に対して中心軸を挟んで反対側に補助切欠部１０７を有する。補助ロック爪３１０は、補助切欠部１０７に収まる。
【００６９】
図示するように、作動部材６０が押圧されていない状態においては、作動部材６０が付勢部材８０により上側に付勢されるので、ロック爪７０の突部７２および補助ロック爪３１０の突部３１２はそれぞれ、収容孔５６、５７に収容される。ロック爪７０と補助ロック爪３１０は、中心軸を挟んで互いに対向する位置に配されるので、作動部材６０が付勢部材８０により上側に付勢される状態において、略均等な力で操作部材３０を上側に付勢する。したがって、操作部材３０の回転軸に対する傾きを低減することができる。
【００７０】
付勢部材８０の付勢力に抗して作動部材６０が押圧されると、ロック爪７０は作動部材６０に付随して切欠部１０６を下側に摺動し、補助ロック爪３１０は作動部材６０に付随して補助切欠部１０７を下側に摺動する。すなわち、ロック爪７０の突部７２および補助ロック爪３１０の突部３１２がそれぞれ収容孔５６、５７から離れていく。そうして、ロック爪７０の突部７２および補助ロック爪３１０の突部３１２がそれぞれ収容孔５６、５７から離脱すると、上ダイヤル２２の回転操作が許容される。図８に示す例においては、補助ロック爪３１０が補助切欠部１０７に収まることにより、補助ロック爪３１０の円周方向への回転が規制される。すなわち、補助ロック爪３１０は、円板部６２の回転に対して相対的に摺動する。
【００７１】
図８に示す例においては、補助切欠部１０７は、ロック爪７０が収容孔５６に収容されているときには補助ロック爪３１０も収容孔５７に収容され、ロック爪７０が収容孔５６に収容されていないときには補助ロック爪３１０も収容孔５７に収容されない位置に設けられている。
【００７２】
補助ロック爪３１０の突部３１２の高さは、ロック爪７０の突部７２の高さよりも低くなっている。これにより、補助ロック爪３１０は、ロック爪７０よりも収容孔５７から離脱し易くなる。したがって、ロック爪７０が収容孔５６から離脱するときには、補助ロック爪３１０も収容孔５７から離脱する。補助ロック爪３１０は、ロック部材として機能するというよりも、むしろ操作部材３０の回転軸に対する傾きを低減するための部材として機能する。
【００７３】
回転軸９４から補助ロック爪３１０の中心までの距離と、回転軸９４からロック爪７０の中心までの距離とが同一であれば、ロック爪７０が補助ロック爪３１０の収容孔５７に収容される場合がある。すなわち、ユーザの意図しないロックがなされる場合がある。そこで、図８に示す例においては、回転軸９４から補助ロック爪３１０の中心までの距離と、回転軸９４からロック爪７０の中心までの距離を互いに異ならせている。ここでは、回転軸９４から補助ロック爪３１０の中心までの距離は、回転軸９４からロック爪７０の中心までの距離よりも短くなっている。そして、ロック板５０には、ロック爪７０および補助ロック爪３１０が配置される位置に合わせて、収容孔５６、５７が形成されている。すなわち、回転軸９４から補助ロック爪３１０の収容孔５７の中心までの距離は、回転軸９４からロック爪７０の収容孔５６の中心までの距離よりも短くなっている。以上のように構成することにより、ロック爪７０はロック爪７０の収容孔５６に収容されることになる。
【００７４】
補助ロック爪３１０の突部３１２の径は、ロック爪７０の突部７２の径よりも狭くなっている。補助ロック爪３１０の突部３１２の径とロック爪７０の突部７２の径との幅の違いに伴い、ロック爪７０の収容孔５６と、補助ロック爪３１０の収容孔５７は、互いに形状が異なっている。図８に示す例においては、ロック爪７０の収容孔５６の径は、補助ロック爪３１０の収容孔５７よりも広くなっている。したがって、ロック爪７０は、補助ロック爪３１０の収容孔５７には収容されずに、ロック爪７０の収容孔５６に収容される。以上のように構成することにより、仮に回転軸９４から補助ロック爪３１０の中心までの距離と、回転軸９４からロック爪７０の中心までの距離とが同一であったとしても、ロック爪７０はロック爪７０の収容孔５６に収容されることになる。
【００７５】
上ダイヤル２２のポジションの全てでロックできる構成でなくてもよい。特定の機能に対応するポジションでのみロックできる構成でもよい。この場合には、収容孔５６は、特定の機能の数に応じて形成されることになる。下ダイヤル２４についても同様である。
【００７６】
以上の説明では、回転軸９４が操作部材３０側へ抜けることを防ぐ部材と、クリック感を付与するための段差部２４２を有する部材とを別体として構成したが、これらを一体として構成してもよい。すなわち、抜止板２３０が、回転軸９４が操作部材３０側へ抜けることを防ぐとともに、複数の収容孔５６に対応する段差部を有してもよい。
【００７７】
以上の説明では、抜止板２３０は、平行ピン２５０を支持することにより突出部９７を固定する構成であったが、圧入、接着等の他の方法により固定する構成であってもよい。
【００７８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００７９】
１０  カメラ、１２  カメラユニット、１４  レンズユニット、２０  回転ダイヤルユニット、２２  上ダイヤル、２４  下ダイヤル、３０  操作部材、３２  挿通孔、３４  凹部、４０  回転操作部材、４２  凹部、４４  挿通孔、４６  円周溝、４８  段差部、５０  ロック板、５２  凹部、５４  挿通孔、５６  収容孔、５７  収容孔、５８  キャップ、６０  作動部材、６２  円板部、６３  上部、６４  下部、６５  突出部、６６  摺動部、６８  凹部、７０  ロック爪、７２  突部、７４  爪部、８０  付勢部材、９０  軸部材、９２  円板部、９４  回転軸、９６  摺動孔、９７  突出部、９８  貫通孔、１００  ロック爪固定部材、１０２  凹部、１０４  挿通孔、１０６  切欠部、１０７  補助切欠部、１０８  リング部、１０９  段差部、１１０  ビス、１２０  封止部材、１３０  外装部材、１３２  開口部、１３４  挿通孔、１３６  環囲壁、１４０  カラー部材、１４２  基板部、１４４  壁部、１４６  段差部、１４７  第１壁、１４８  固定部、１４９  第２壁、１５０  回転摺動部材、１５２  円板部、１５４  クリック部材収容部、１５６  第１孔、１５８  収容孔、１５９  収容部、１６０  クリック部材、１６２  付勢部材、１６４  鋼球、１７０  接点ブラシ、１８０  支持部材、１８１  基板部、１８２  軸受、１８３  段差部、１８４  第１孔、１８５  第２孔、１９０  押圧操作部材、１９２  固定軸、１９４  押圧部、２００  封止部材、２０２  嵌合孔、２０４  袋状部、２１０  パターン回路基板、２１２  上段、２１３  回路パターン、２１４  下段、２１５  貫通孔、２１６  回路パターン、２２０  接点ブラシ、２３０  抜止板、２３２  貫通孔、２３４  収容部、２３６  溝部、２６７  受容孔、２４０  クリック板、２４２  段差部、２５０  平行ピン、２６０  ロック部材、２６２  ロック爪、２６４  基材部、２６６  上側突出部、２６８  下側突出部、２７０  付勢部材、２８０  クリック部材、２８２  付勢部材、２８４  鋼球、２９０  支持部材、２９２  クリック部材収容部、２９４  付勢部材支持部、３００  クリック部材、３０２  付勢部材、３０４  鋼球、３１０  補助ロック爪、３１２  突部、３１４  爪部
【図１】
2018185540.tif 000003
【図２】
2018185540.tif 000004
【図３】
2018185540.tif 000005
【図４】
2018185540.tif 000006
【図５】
2018185540.tif 000007
【図６】
2018185540.tif 000008
【図７】
2018185540.tif 000009
【図８】
2018185540.tif 000010